(57)【特許請求の範囲】
【請求項１】
ワイヤードリモコンを備えた複数の室内機と、同室内機に通信接続され、前記ワイヤードリモコンの電源供給を管理するリモコン電源管理手段とを備え、
前記ワイヤードリモコンは、同ワイヤードリモコンの負荷電流を増加させる起動スイッチを備え、
前記室内機は、前記ワイヤードリモコンへ電源を供給する電源部と、前記ワイヤードリモコンへの電源供給／遮断を行うスイッチ手段と、同スイッチ手段を制御する室内機制御部と、前記ワイヤードリモコンへの供給電流を検出する電流検出手段と、前記スイッチ手段に並列に接続された抵抗とを備え、
前記リモコン電源管理手段は、前記室内機毎に、前記室内機の運転状態と前記ワイヤードリモコンの電源状態とを記憶する電源管理テーブルを格納する記憶部と、同記憶部を制御する制御部とを備え、
前記室内機は、前記室内機の運転開始、又は運転停止時に前記リモコン電源管理手段へ運転状態の通知データを送信し、
前記リモコン電源管理手段は、前記運転状態の通知データを受信した時、前記電源管理テーブル内の対応する前記室内機の運転状態の項目を受信した前記運転状態に更新すると共に、前記ワイヤードリモコンの電源状態の項目について受信した前記運転状態が運転開始ならば供給に、運転停止ならば遮断にそれぞれ更新する一方、前記電源管理テーブル内の運転状態の項目が停止中の室内機に対して電源供給を遮断する指示データを送信し、
前記室内機は前記指示データを受信した時、前記指示データに従って前記スイッチ手段を制御し、
前記室内機が停止状態の場合、前記室内機制御部は、前記電流検出手段を介して電流を監視し、前記起動スイッチの操作により前記負荷電流が増加して予め定めた所定の閾値を越えた場合、前記スイッチ手段を電源供給状態にすると共に、前記リモコン電源管理手段へ前記ワイヤードリモコンが電源供給状態である通知データを送信し、同通知データを受信した前記リモコン電源管理手段は、前記電源管理テーブルにおける同通知元の室内機と対応する前記ワイヤードリモコンの電源状態の内容を供給に更新することを特徴とする空調機システム。
【請求項２】
ワイヤードリモコンを備えた複数の室内機と、同室内機に通信接続され、前記ワイヤードリモコンの電源供給を管理するリモコン電源管理手段とを備え、
前記室内機は前記ワイヤードリモコンへ電源を供給する電源部と、前記ワイヤードリモコンへの電源供給／遮断を行うスイッチ手段と、同スイッチ手段を制御する室内機制御部とを備え、
前記リモコン電源管理手段は、前記室内機毎に、前記室内機の運転状態と前記ワイヤードリモコンの電源状態と前記室内機が停止中に前記ワイヤードリモコンへ電源が供給された時間を示す停止中の電源供給時間とを記憶する電源管理テーブルを格納する記憶部と、同記憶部を制御する制御部とを備え、
前記室内機は、前記室内機の運転開始、又は運転停止時に前記リモコン電源管理手段へ運転状態の通知データを送信し、
前記リモコン電源管理手段は、前記運転状態の通知データを受信した時、前記電源管理テーブル内の対応する前記室内機の運転状態の項目を受信した前記運転状態に更新すると共に、前記ワイヤードリモコンの電源状態の項目について受信した前記運転状態が運転開始ならば供給に、運転停止ならば遮断にそれぞれ更新する一方、前記電源管理テーブル内の運転状態の項目が停止中の室内機に対して電源供給を遮断する指示データを送信し、
前記室内機は前記指示データを受信した時、前記指示データに従って前記スイッチ手段を制御し、
前記リモコン電源管理手段は、前記電源管理テーブルにおける各室内機の運転状態の項目が停止で、かつ、対応する前記ワイヤードリモコンの電源状態が供給となっている室内機を抽出し、時刻の経過に対応して、抽出した室内機と対応する前記電源供給時間のタイマ値を更新し、前記電源供給時間のタイマ値が予め定めた所定値になった時、前記ワイヤードリモコンの電源状態を遮断に更新すると共に、対応する前記室内機へ電源供給を遮断する指示データを送信することを特徴とする空調機システム。
【請求項３】
前記室内機は、運転を停止した時、前記スイッチ手段により前記ワイヤードリモコンへの電源を遮断し、前記ワイヤードリモコンが電源遮断状態である通知データ、もしくは、運転停止の前記運転状態の通知データを前記リモコン電源管理手段へ送信し、同通知データを受信した前記リモコン電源管理手段は、前記電源管理テーブルにおける同通知元の室内機と対応する前記ワイヤードリモコンの電源状態の内容を遮断に更新することを特徴とする請求項１または請求項２のいずれかに記載の空調機システム。
【発明の詳細な説明】
【技術分野】
【０００１】
本発明は、ワイヤードリモコンを個々に接続した複数の室内機を備えた空調機システムに係わり、より詳細には、室内機からワイヤードリモコンへ供給する電源の管理に関する。
【背景技術】
【０００２】
ワイヤードリモコンに電力線を使用して電源を供給する室内機が複数備えられた空調機システムが従来より開示されている。このような空調機システムでは集中管理装置が備えられており、この集中管理装置から個別の室内機の運転開始／停止を指示する場合がほとんどである。このため、各室内機に接続されたワイヤードリモコンでは主として温度設定や風量調節の操作が行われている。
【０００３】
一方、大規模な空調機システムでは室内機の台数、つまり、ワイヤードリモコンの台数も多く、数十台から数百台となる場合がある。空調機システムで使用される室内機は、運転を停止中であっても常に集中管理装置と通信を行う必要があるため基本的に内部の室内機制御部は電源が投入されたままである。また、ユーザーがワイヤードリモコンを操作して運転を開始する場合に備えて、ワイヤードリモコンへの電源も供給したままである。
従って夜間など運転を行うことが少ないと思われる場合であってもワイヤードリモコンへの電源を供給したままであり、このため、ワイヤードリモコンで消費される電力が無駄となっていた。
【０００４】
このような無駄な電力を低減させるため、機器の運転中は機器とワイヤードリモコンとで常時通信を行い、機器が運転を中止中の場合はワイヤードリモコン側から必要な時のみデータを送信する随時通信方式に切り換えるようにしているリモコン装置が開示されている（例えば、特許文献１参照。）。
【０００５】
しかしながら、このような方式は通信に係わる電力を部分的に低減させる効果はあるが、ワイヤードリモコンにはキー入力部や表示部、記憶部やリモコン制御部など電力を消費する回路が多数あり、これらの電力は低減することができなかった。
【先行技術文献】
【特許文献】
【０００６】
【特許文献１】特開２０００−１３４６７５号公報（第３頁、図１）
【発明の概要】
【発明が解決しようとする課題】
【０００７】
本発明は以上述べた問題点を解決し、ワイヤードリモコンを接続した室内機が複数備えられた空調機システムにおいて、必要な時のみワイヤードリモコンに電源を供給することにより、ワイヤードリモコンの消費電力を低下させる空調機システムを提供する。
【課題を解決するための手段】
【０００９】
本発明は上述の課題を解決するため、本発明の請求項１に記載の発明は、ワイヤードリモコンを備えた複数の室内機と、同室内機に通信接続され、前記ワイヤードリモコンの電源供給を管理するリモコン電源管理手段とを備え、
前記ワイヤードリモコンは、同ワイヤードリモコンの負荷電流を増加させる起動スイッチを備え、
前記室内機は、前記ワイヤードリモコンへ電源を供給する電源部と、前記ワイヤードリモコンへの電源供給／遮断を行うスイッチ手段と、同スイッチ手段を制御する室内機制御部と、前記ワイヤードリモコンへの供給電流を検出する電流検出手段と、前記スイッチ手段に並列に接続された抵抗とを備え、
前記リモコン電源管理手段は、前記室内機毎に、前記室内機の運転状態と前記ワイヤードリモコンの電源状態とを記憶する電源管理テーブルを格納する記憶部と、同記憶部を制御する制御部とを備え、
前記室内機は、前記室内機の運転開始、又は運転停止時に前記リモコン電源管理手段へ運転状態の通知データを送信し、
前記リモコン電源管理手段は、前記運転状態の通知データを受信した時、前記電源管理テーブル内の対応する前記室内機の運転状態の項目を受信した前記運転状態に更新すると共に、前記ワイヤードリモコンの電源状態の項目について受信した前記運転状態が運転開始ならば供給に、運転停止ならば遮断にそれぞれ更新する一方、前記電源管理テーブル内の運転状態の項目が停止中の室内機に対して電源供給を遮断する指示データを送信し、
前記室内機は前記指示データを受信した時、前記指示データに従って前記スイッチ手段を制御し、
前記室内機が停止状態の場合、前記室内機制御部は、前記電流検出手段を介して電流を監視し、前記起動スイッチの操作により前記負荷電流が増加して予め定めた所定の閾値を越えた場合、前記スイッチ手段を電源供給状態にすると共に、前記リモコン電源管理手段へ前記ワイヤードリモコンが電源供給状態である通知データを送信し、同通知データを受信した前記リモコン電源管理手段は、前記電源管理テーブルにおける同通知元の室内機と対応する前記ワイヤードリモコンの電源状態の内容を供給に更新することを特徴とする。
【００１０】
また、本発明の請求項２に記載の発明は、ワイヤードリモコンを備えた複数の室内機と、同室内機に通信接続され、前記ワイヤードリモコンの電源供給を管理するリモコン電源管理手段とを備え、
前記室内機は前記ワイヤードリモコンへ電源を供給する電源部と、前記ワイヤードリモコンへの電源供給／遮断を行うスイッチ手段と、同スイッチ手段を制御する室内機制御部とを備え、
前記リモコン電源管理手段は、前記室内機毎に、前記室内機の運転状態と前記ワイヤードリモコンの電源状態と前記室内機が停止中に前記ワイヤードリモコンへ電源が供給された時間を示す停止中の電源供給時間とを記憶する電源管理テーブルを格納する記憶部と、同記憶部を制御する制御部とを備え、
前記室内機は、前記室内機の運転開始、又は運転停止時に前記リモコン電源管理手段へ運転状態の通知データを送信し、
前記リモコン電源管理手段は、前記運転状態の通知データを受信した時、前記電源管理テーブル内の対応する前記室内機の運転状態の項目を受信した前記運転状態に更新すると共に、前記ワイヤードリモコンの電源状態の項目について受信した前記運転状態が運転開始ならば供給に、運転停止ならば遮断にそれぞれ更新する一方、前記電源管理テーブル内の運転状態の項目が停止中の室内機に対して電源供給を遮断する指示データを送信し、
前記室内機は前記指示データを受信した時、前記指示データに従って前記スイッチ手段を制御し、
前記リモコン電源管理手段は、前記電源管理テーブルにおける各室内機の運転状態の項目が停止で、かつ、対応する前記ワイヤードリモコンの電源状態が供給となっている室内機を抽出し、時刻の経過に対応して、抽出した室内機と対応する前記電源供給時間のタイマ値を更新し、前記電源供給時間のタイマ値が予め定めた所定値になった時、前記ワイヤードリモコンの電源状態を遮断に更新すると共に、対応する前記室内機へ電源供給を遮断する指示データを送信することを特徴とする。
【００１１】
また、本発明の請求項３に記載の発明は、前記室内機は、運転を停止した時、前記スイッチ手段により前記ワイヤードリモコンへの電源を遮断し、前記ワイヤードリモコンが電源遮断状態である通知データ、もしくは、運転停止の前記運転状態の通知データを前記リモコン電源管理手段へ送信し、同通知データを受信した前記リモコン電源管理手段は、前記電源管理テーブルにおける同通知元の室内機と対応する前記ワイヤードリモコンの電源状態の内容を遮断に更新することを特徴とする。
【発明の効果】
【００１２】
以上の手段を用いることにより、本発明による空調機システムによれば、
請求項１に係わる発明は、リモコン電源管理手段で各ワイヤードリモコンの電源供給管理を一括して行うため、各室内機毎に運転や停止を行う場合やスケジュール運転などのシステムが管理する運転の場合も含めて総合的に、ワイヤードリモコンの操作が必要な時のみワイヤードリモコンに電源を供給することにより、ワイヤードリモコンの消費電力を低減させることができる。
【００１３】
また、各ワイヤードリモコン側に起動スイッチを設けたので、ワイヤードリモコンの電源が遮断されている場合であっても、ワイヤードリモコン側からワイヤードリモコンへの電源の供給を開始させることができる。また、起動スイッチが接続された時、リモコン電源管理手段へワイヤードリモコンが電源供給状態である通知データを送信するため、ワイヤードリモコン側の操作であっても総合的な電源管理を行うことができる。
【００１４】
請求項２に係わる発明は、ワイヤードリモコンに電源が供給され、かつ、室内機の運転が停止中であって、所定時間が経過したワイヤードリモコンの電源を遮断するため、未使用状態のワイヤードリモコンの消費電流を低減することができる。また、所定時間以内であればワイヤードリモコンの操作が可能であり、この所定時間以内であればユーザーの操作性を低減させることがない。
【００１５】
請求項３に係わる発明は、室内機が運転を停止した時にワイヤードリモコンへの電源を遮断し、室内機からこの運転停止、又はワイヤードリモコンの電源遮断の通知データをリモコン電源管理手段へ送信し、リモコン電源管理手段は、電源管理テーブルにおける同通知元の室内機と対応するワイヤードリモコンの電源状態の内容を遮断に更新する。このため、リモコン電源管理手段から室内機へワイヤードリモコンの電源を遮断する指示データを送信する必要がなく、リモコン電源管理手段の送信処理を簡素化できる。
【図面の簡単な説明】
【００１６】
【図１】本発明による空調機システムの実施例を示すブロック図である。
【図２】本発明による集中管理装置の実施例を示すブロック図である。
【図３】本発明による室内機の実施例を示すブロック図である。
【図４】本発明による室内機のワイヤードリモコンの実施例を示すブロック図である。
【図５】本発明によるワイヤードリモコンの電源管理を説明する説明図である。
【図６】本発明によるワイヤードリモコンの電源管理テーブルを説明する説明図である。
【図７】本発明による集中管理装置の制御部の処理を説明するフローチャートである。
【図８】本発明による室内機制御部の処理を説明するフローチャートである。
【発明を実施するための形態】
【００１７】
以下、本発明の実施の形態を、添付図面に基づいた実施例として詳細に説明する。
本発明の特徴は、ワイヤードリモコンの操作が行われると思われる時間帯だけ、つまり、室内機が運転されている期間とその前後の時間だけワイヤードリモコンに電源を供給し、それ以外の期間は電源を遮断することでワイヤードリモコンの消費電力を低減することにある。
なお、実施例ではワイヤードリモコン側からワイヤードリモコンへの電源供給を室内機側に指示するため、ワイヤードリモコン側で微小な電流を常に消費しているが、動作時の電流に比較して非常に小さいため、実施例ではこの微小な電流を消費している状態であっても『供給電源の遮断』と呼称している。
【実施例１】
【００１８】
図１は本発明による空調機システムの実施例を示すブロック図である。この空調機システムは、集中管理装置３と、室外機３０と、複数の室内機２０ａ，２０ｂ，２０ｃ，２０ｄと、各室内機に対応して備えられたワイヤードリモコン１０ａ，１０ｂ，１０ｃ，１０ｄとを備えている。集中管理装置３と室外機３０と各室内機とは通信線１で通信接続されており、また、各室内機と各ワイヤードリモコンとはリモコン接続線２で通信接続されている。なお、リモコン接続線２には通信線の他に、ワイヤードリモコンを駆動するための電源線が備えられており、室内機からワイヤードリモコンへ電源が供給されるようになっている。
【００１９】
図２は本発明による空調機システムの集中管理装置３の実施例を示すブロック図である。なお、集中管理装置３は空調機システム全体を制御すると共に、各ワイヤードリモコンの電源供給管理も行うリモコン電源管理手段を兼用している。
集中管理装置３は、管理者によって操作されたキーの状態を入力するキー入力部３２と、通信線１を介して各室内機２０ａや室外機３０へ指示データを送信したり、これらから状態データを受信する通信部３６と、表示部３１と、表示部３１の図示しない液晶パネルを背後から照らすバックライト３７と、データを記憶する記憶部３３と、これらを制御するプログラムを記憶したマイコンを備えた制御部３５とを備えている。なお、このマイコンは時計機能を備えており常に時刻を計時している。
【００２０】
集中管理装置３は、管理者の操作指示に従って空調機システム内の各機器を制御すると共に、各機器から送信される状態データを受信して表示部３１へ表示する。また、予め指示されたスケジュール運転のデータを記憶部３３に記憶させておくことにより、所定時刻で各室内機の運転開始／停止を行うことができる。また、この記憶部３３には後述する電源管理テーブルが記憶されている。
【００２１】
図３は本発明による空調機システムの室内機の実施例を示すブロック図である。この室内機２０ａは他の室内機と同じ構成であるため、室内機２０ａを代表的に説明する。
【００２２】
室内機２０ａは、ワイヤードリモコン１０ａとリモコン接続線２内の通信線２ａを介してデータ通信を行う室内機通信部２１と、室内の温度を検出する室温検出部２７と、データを記憶する記憶部２５と、室外機３０や集中管理装置３と通信を行う通信部２２と、これらを制御する室内機制御部２６と、交流電源４を入力して直流電源Ｖｃｃを出力する電源部２８と、この直流電源Ｖｃｃをワイヤードリモコン１０ａを駆動する電源として電源線２ｂに供給するか否かを切り換えるスイッチ手段であるリレー２３と、同リレー２３の切換接点と並列に接続された抵抗２９と、電源部２８の出力端とリレー２３との間に配置されてワイヤードリモコン１０ａの負荷電流を検出する電流検出手段である電流センサ２４とを備えている。
【００２３】
また、電流センサ２４で検知された負荷電流と対応する電圧信号は室内機制御部２６へ入力されており、室内機制御部２６はリレー２３の接点が開放されている場合、抵抗２９を介してワイヤードリモコン１０ａに流れる微弱な電流を測定する。
なお、リモコン接続線２は、ワイヤードリモコン１０ａと室内機２０ａとの間で通信を行う通信線２ａと、直流電源Ｖｃｃをワイヤードリモコン１０ａへ供給する電源線２ｂと、アース線２ｃとからなる３本の電線で構成されている。
【００２４】
各室内機と集中管理装置３とは、それぞれが送信するデータに宛先と送信元のアドレスとが含まれており、このデータを受信した機器では、予め設定されている自身のアドレスにより、宛先が自分宛か否かを確認することで受信するデータの選択が可能である。例えば集中管理装置３から送信するデータは、宛先アドレス、送信元アドレス、送信項目（例えば室内機への指示）、送信項目の内容（例えば宛先アドレス＃２０のスケジュール運転開始）などで構成されている。一方、室内機からは、宛先アドレス、送信元アドレス、送信項目（例えば室内機の状態）、送信項目の内容（例えばアドレス＃２０の運転開始）などで構成されている。従ってこれらのデータを受信した機器では、自分宛のデータの受信し、送信項目によって処理する項目を決定し、送信項目の内容に従って処理を実行することができる。この実施例では集中管理装置３は＃００、室外機３０は＃３０、室内機２０ａから室内機２０ｄは、＃２０から＃２３の各アドレスが割り当てられている。
【００２５】
図４は本発明による空調機システムのワイヤードリモコン１０ａの実施例を示すブロック図である。ワイヤードリモコン１０ａは、他のワイヤードリモコンと同じ構成であるためワイヤードリモコン１０ａを代表として説明する。
ワイヤードリモコン１０ａは、ユーザーによって操作されたキーの状態を入力するキー入力部１２と、通信線２ａを介して室内機２０ａへ指示データを送信したり、室内機２０ａからの通信データを受信するリモコン通信部１６と、表示部１１と、表示部１１の図示しない反射型液晶パネルを照らすバックライト１７と、データを記憶する記憶部１３と、これらを制御するプログラムを記憶したマイコンを備えたリモコン制御部１５とを備えている。
【００２６】
また、ワイヤードリモコン１０ａは、リモコン接続線２のアース線２ｃがアースへ接続されている。そして、電源線２ｂはワイヤードリモコン１０ａ内の制御回路本体１０の直流電源Ｖｃｃの端子に接続されると共に、起動スイッチ１４と抵抗１８とを介してアースへ接続されている。従って、室内機２０ａのリレー２３の接点が開放されている時、つまり、ワイヤードリモコン１０ａの電源が遮断されている時、ユーザーが室内機２０ａの運転を開始するため、まず最初にこの起動スイッチ１４をオン（接続）する。これにより、室内機２０ａの抵抗２９を流れている電流が増加する。室内機制御部２６は、抵抗２９を流れている電流を監視しており、この電流が予め定めた閾値以上になった時、ワイヤードリモコン１０ａから『電源供給依頼』が有ったと判断する。従って、室内機制御部２６は、起動スイッチ１４が閉じられて抵抗２９を流れる電流が予め定められた閾値を越えたと判断した場合、リレー２３の接点を接続し、ワイヤードリモコン１０ａに直流電源Ｖｃｃを供給する。
【００２７】
なお、起動スイッチ１４は押している間だけ接点が閉じる押しボタンスイッチであり、このボタンを押下したユーザーは、ワイヤードリモコン１０ａに電源が供給されたことを確認したらボタンを離す。なお、抵抗１８は短絡防止用の抵抗であり、起動スイッチ１４が押下されている間、直流電源Ｖｃｃが短絡されることを防止している。
【００２８】
直流電源Ｖｃｃが供給されたワイヤードリモコン１０ａは動作を開始する。そして、リモコン制御部１５は、ユーザーによる指示、例えば運転開始の指示操作をキー入力部１２を介して受け付けると、キーと対応するキーコードに変換してキー操作内容を受付け、表示部１１に表示すると共に、『操作指示』のデータを室内機２０ａへ送信する。これを受信した室内機２０ａはこの操作指示の内容に従って室内機２０ａを運転すると共に、操作指示が運転開始の指示なら『運転開始通知』を集中管理装置３へ送信する。なお、同様に操作指示が運転停止の指示なら『運転停止通知』を集中管理装置３へ送信する。
【００２９】
図５は本発明によるリモコンの電源管理を説明する説明図であり、集中管理装置３と室内機２０ａとワイヤードリモコン１０ａへの電源供給状態を示している。図５（１）は集中管理装置３が室内機２０ａへ送信するデータを、図５（２）は室内機２０ａが集中管理装置３へ送信するデータを、図５（３）は室内機２０ａの運転状態を、図５（４）はワイヤードリモコン１０ａへ供給される電源供給状態を、図５（５）は起動スイッチ１４の状態を、それぞれ示している。
【００３０】
図５（１）の『スケジュール運転の場合』に示すように集中管理装置３は、スケジュール運転開始の時間になった場合、まず最初にスケジュール運転の対象となる室内機２０ａに、遮断していたワイヤードリモコン１０ａの電源を供給するように『電源供給』の指示データを送信する。これに続けてスケジュール運転開始の指示データを送信する。これを受信した室内機２０ａは図５（４）に示すようにワイヤードリモコン１０ａに電源を供給すると共に、図５（３）に示すようにスケジュール運転を開始する。このとき、室内機２０ａは集中管理装置３に『運転開始通知』のデータを送信する。
【００３１】
同様にスケジュール運転の停止時間になったら、集中管理装置３は室内機２０ａにスケジュール運転停止の指示データを送信する。またこれに続けて供給していたワイヤードリモコン１０ａの電源を遮断するように『電源遮断』の指示データを室内機２０ａに送信する。これを受信した室内機２０ａは図５（３）に示すようにスケジュール運転を停止すると共に、集中管理装置３に『運転停止通知』のデータを送信する。また、図５（４）に示すようにワイヤードリモコン１０ａの電源を遮断する。
【００３２】
図５（１）の『ユーザー依頼の場合』に示すように、ユーザーが空調機システムの管理者に依頼して、管理者が集中管理装置３から室内機２０ａを介してワイヤードリモコン１０ａへ電源を供給することもできる。これは、例えばワイヤードリモコン１０ａに起動スイッチ１４がない場合に有効である。集中管理装置３から室内機２０ａへ『電源供給』の指示データを送信し、これを受信した室内機２０ａはワイヤードリモコン１０ａに電源を供給する。これによりユーザーはワイヤードリモコン１０ａを操作することができる。
【００３３】
しかしながら、ユーザーが電源供給を依頼した後、室内機２０ａの運転を開始しない場合、例えば会議が中止になって室内機２０ａの運転が不要になった場合、このまま電源供給を継続すると無駄な電力を消費する。このため、集中管理装置３は『電源供給』の指示データを送信した後、対応する室内機２０ａで運転が所定時間、例えば３０分間以内に開始されない場合、つまり、室内機２０ａからの運転開始の通知データを受信しない場合、『電源遮断』の指示データを室内機２０ａに送信し、ワイヤードリモコン１０ａの電源を遮断する。
【００３４】
図５（１）の『リモコン側の依頼の場合』に示すように、図５（５）で起動スイッチ１４が押下されると、ワイヤードリモコン１０ａの制御回路本体１０が抵抗１８と並列接続されることになり、電流センサ２４で検出していた電流が制御回路本体１０だけに流れていた場合と比較して増加する。このため、電流センサ２４で検出する電流値が閾値を越えると室内機制御部２６はリレー２３の接点を接続し、図５（４）に示すようにワイヤードリモコン１０ａに電源を供給する。同時に室内機制御部２６は集中管理装置３へ『電源供給通知』のデータを送信する。
【００３５】
その後、ユーザーにより手動運転が開始されると室内機２０ａは集中管理装置３へ『運転開始通知』のデータを送信する。また、ユーザーにより手動運転が停止されると室内機２０ａは集中管理装置３へ『運転停止通知』のデータを送信する。そして、この場合も集中管理装置３が『運転停止通知』のデータを受信してから運転停止状態が所定時間（３０分）以上継続した場合、集中管理装置３は室内機２０ａへ『電源遮断』の指示データを送信する。
【００３６】
図５（１）の『強制遮断の場合』に示すように、図５（３）の手動運転が停止された場合、所定時間（３０分）以内であっても、集中管理装置３は室内機２０ａへ『電源遮断』の指示を強制的に送信する場合がある。例えば、就業時刻が過ぎていた時、運転停止の操作がなされた場合はこれ以降の時間で運転再開はないと集中管理装置３が判断して、ワイヤードリモコン１０ａへの電源供給を遮断する。
【００３７】
次に図６の電源管理テーブルを説明する。
図６は本発明による電源管理テーブルを説明する説明図である。このテーブルは集中管理装置３の記憶部３３に記憶されており、スケジュール運転の時刻になった場合や各室内機で運転開始／停止の操作が行われた場合、又は起動スイッチ１４によりワイヤードリモコン１０ａに電源供給が開始された場合に制御部３５によって更新される。
【００３８】
電源管理テーブルの横の項目は、管理する『対象リモコン』、対象リモコンと対応する室内機の『アドレス』、対象リモコンと対応する室内機の『運転状態』、『対象リモコンの電源状態』、対象リモコンと対応する室内機の『停止中の電源供給時間』である。また、電源管理テーブルの縦の項目は、ワイヤードリモコン１０ａ〜１０ｄ（室内機２０ａ〜２０ｄとそれぞれ対応）である。
【００３９】
例えば制御部３５は時刻を監視し、図示しないスケジュールテーブルに従って、室内機２０ａ（アドレスが＃２０）がスケジュール運転開始時刻になった場合、図５の『スケジュール運転の場合』で説明したように、制御部３５は『電源供給』指示データを室内機２０ａに送信し、電源管理テーブルのワイヤードリモコン１０ａと対応する『対象リモコンの電源状態』の欄に『供給』を書き込む。そして、室内機２０ａから『運転開始通知』データを受信し、この受信した送信元アドレスの値より対象リモコンを特定し、同様に『運転状態』の欄に『スケジュール運転中』を書き込む。なお、『対象リモコンの電源状態』の欄が『供給』で、かつ、『運転状態』の欄が何らかの運転中の場合、『停止中の電源供給時間』は『０分』のままにする。
一方、制御部３５は『運転停止通知』データを室内機から受信した時、受信した送信元アドレスの値より対象リモコンを特定し、同様に『運転状態』の欄に『停止中』を書き込む。
【００４０】
そして制御部３５は、時刻の経過に従って、『運転状態』の欄が『停止中』で、かつ、『対象リモコンの電源状態』の欄が『供給』となっている『停止中の電源供給時間』の欄のタイマ値をカウントアップする。そして、この値が『３０分』になった時、集中管理装置３の制御部３５はこの『３０分』となった室内機に対して『電源遮断』の指示データを送信する。この結果、対応するワイヤードリモコンの電源が遮断される。また、集中管理装置３はこの『３０分』となったワイヤードリモコンと対応する『対象リモコンの電源状態』の欄に『遮断』を書き込む。その後、この『３０分』のタイマ値を『０分』に書き換える。
【００４１】
このように集中管理装置３は、各室内機の運転状態と、対象リモコンの電源状態と、停止中の電源供給時間を電源管理テーブルで管理することにより、運転が停止中で、かつ、ワイヤードリモコンへ電源が供給されている時間を監視し、所定時間が経過したら電源供給を遮断する。
【００４２】
以上説明したように、リモコン電源管理手段、つまり、集中管理装置３で各ワイヤードリモコンの電源供給管理を一括して行うため、各室内機毎に運転や停止を行う場合やスケジュール運転などのシステムが管理する運転の場合も含めて総合的に、各ワイヤードリモコンの操作が必要な時のみワイヤードリモコンに電源を供給することにより、ワイヤードリモコンの消費電力を低減させることができる。
【００４３】
また、各ワイヤードリモコン側に起動スイッチを設けたので、ワイヤードリモコンの電源が遮断されている場合であっても、ワイヤードリモコン側からワイヤードリモコンへの電源の供給を開始させることができる。また、起動スイッチ１４によるワイヤードリモコン１０ａ側からの依頼によるワイヤードリモコン１０ａへの電源供給が行われた場合、室内機２０ａからリモコン電源管理手段（集中管理装置３）へワイヤードリモコンが電源供給状態である通知データを送信するため、ワイヤードリモコン１０ａ側の操作であっても総合的な電源管理を行うことができる。
【００４４】
また、ワイヤードリモコン１０ａに電源が供給され、かつ、室内機２０ａの運転が停止中であって、所定時間が経過したワイヤードリモコン１０ａの電源を遮断するため、未使用状態のワイヤードリモコン１０ａの消費電流を低減することができる。また、所定時間以内であればワイヤードリモコン１０ａの操作が可能であり、この所定時間以内であればユーザーの操作性を低下させることがない。
【００４５】
次に、本発明に係わる集中管理装置３の処理動作を、図７に示す制御部３５のフローチャートを用いて説明する。なお、図７に記載のＳＴはステップを表し、これに続く数字はステップ番号を、また、ＹはＹｅｓを、ＮはＮｏをそれぞれ表している。
【００４６】
図７において制御部３５は、室内機からの受信データが有るか確認する（ＳＴ１）。室内機からの受信データが有る場合（ＳＴ１−Ｙ）、受信データに従って電源管理テーブルを更新する（ＳＴ８）。これは前述したように、運転開始／停止や電源供給の各通知データを受信した場合、対応する電源管理テーブルの各室内機に対応したワイヤードリモコンの各項目を更新する動作である。そしてＳＴ１へジャンプする。
【００４７】
室内機からの受信データが無い場合（ＳＴ１−Ｎ）、時刻が１分経過したか確認する（ＳＴ２）。時刻が１分経過した場合、つまり、１分毎に（ＳＴ２−Ｙ）、電源管理テーブルの『停止中の電源供給時間』の内容を更新する（ＳＴ３）。これは前述したように、電源管理テーブルの『運転状態』の内容が『停止中』で、かつ、『対象リモコンの電源状態』が『供給』の室内機の『停止中の電源供給時間』の内容をカウントアップする動作である。
【００４８】
次に、電源遮断すべきリモコンが有るか確認する（ＳＴ４）。これは、電源管理テーブルのカウントアップされた『停止中の電源供給時間』の内容が所定時間、つまり、３０分になったことで確認できる。電源遮断すべきリモコンが有る場合（ＳＴ４−Ｙ）、このリモコンと対応する室内機へ『電源遮断』の指示データを送信し、電源管理テーブルの対応する『対象リモコンの電源状態』の内容を『遮断』に更新し、同時に『停止中の電源供給時間』の内容を『０分』にする（ＳＴ５）。
【００４９】
次にスケジュール運転の開始／停止時刻か確認する（ＳＴ６）。これは記憶部３３に記憶されている図示しない運転管理スケジュールによって予め規定された時刻か確認することである。スケジュール運転の開始／停止時刻の場合（ＳＴ６−Ｙ）、スケジュール運転の開始又は停止の指示データ、及び電源供給又は電源遮断の指示データを対象となる各室内機へ送信する（ＳＴ１０）。そして、ＳＴ１へジャンプする。
【００５０】
スケジュール運転の開始／停止時刻でない場合（ＳＴ６−Ｎ）、管理者指示による電源供給があるか確認する（ＳＴ７）。これは集中管理装置３のキー入力部３２を介して特定の室内機のワイヤードリモコンへの電源供給指示があるか否かで判断できる。管理者指示による電源供給が無い場合（ＳＴ７−Ｎ）、ＳＴ１へジャンプする。管理者指示による電源供給が有る場合（ＳＴ７−Ｙ）、電源供給の指示データを対象室内機へ送信し、電源管理テーブルの『対象リモコンの電源状態』の内容を『供給』にする（ＳＴ９）。そして、ＳＴ１へジャンプする。
【００５１】
一方、ＳＴ２で時刻が１分経過していない場合（ＳＴ２−Ｎ）と、電源遮断すべきリモコンが無い場合（ＳＴ４−Ｎ）とは何もしないでＳＴ６へジャンプする。
【００５２】
次に、本発明に係わる室内機の処理動作を、図８に示す室内機制御部２６のフローチャートを用いて説明する。なお、図８に記載のＳＴはステップを表し、これに続く数字はステップ番号を、また、ＹはＹｅｓを、ＮはＮｏをそれぞれ表している。
【００５３】
図８において室内機制御部２６は、集中管理装置３が送信した指示データ（自分のアドレス宛）が有るか確認する（ＳＴ２１）。集中管理装置３が送信した指示データ（自分のアドレス宛）が無い場合（ＳＴ２１−Ｎ）、ワイヤードリモコンが送信した指示データがあるか確認する（ＳＴ２２）。
【００５４】
ワイヤードリモコンが送信した指示データが無い場合（ＳＴ２２−Ｎ）、現在、自身の室内機は運転停止中か確認する（ＳＴ２３）。自身の室内機が運転停止中でない場合（ＳＴ２３−Ｎ）、つまり、運転中の場合は現在の運転を継続し（ＳＴ３１）、ＳＴ２１へジャンプする。
【００５５】
自身の室内機が運転停止中の場合（ＳＴ２３−Ｙ）、次にワイヤードリモコンへの流出電流は閾値以上か確認する（ＳＴ２４）。ワイヤードリモコンへの流出電流が閾値以上でない場合（ＳＴ２４−Ｎ）、ＳＴ２１へジャンプする。
【００５６】
ワイヤードリモコンへの流出電流が閾値以上の場合（ＳＴ２４−Ｙ）、電源遮断／供給用のリレー２３をオン（閉）にする（ＳＴ２５）。次に、『電源供給通知』データを集中管理装置３へ送信する（ＳＴ２６）。そして、ＳＴ２１へジャンプする。
【００５７】
一方、集中管理装置３が送信した指示データ（自分のアドレス宛）が有る場合（ＳＴ２１−Ｙ）、このデータはワイヤードリモコンに対する電源遮断／供給の指示データか確認する（ＳＴ２７）。このデータがワイヤードリモコンに対する電源遮断／供給の指示データの場合（ＳＴ２７−Ｙ）、指示データに従って電源遮断／供給用リレー２３を開閉する（ＳＴ３０）。そして、ＳＴ２１へジャンプする。
【００５８】
ワイヤードリモコンに対する電源遮断／供給の指示データでない場合（ＳＴ２７−Ｎ）、つまり、運転開始／停止の指示データの場合、指示データに従って運転開始／停止を行う（ＳＴ２８）。次に指示データに対応して運転開始又は停止の通知データを集中管理装置３へ送信する（ＳＴ２９）。そして、ＳＴ２１へジャンプする。
【００５９】
また、ワイヤードリモコンが送信した指示データが有る場合（ＳＴ２２−Ｙ）、ユーザーの操作による運転指示であるため、ＳＴ２８へジャンプして指示された運転を行う。
【００６０】
なお、本実施例ではリモコン電源管理手段を集中管理装置３で兼用して実施しているが、これに限るものでなく、特定の室内機や室外機が全てのワイヤードリモコンの電源を管理する機能、つまり、実施例１における集中管理装置３と同じリモコン電源管理手段を備え、各室内機はこのリモコン電源管理手段の指示に従うようにしてもよい。
【００６１】
また、本実施例では室内機から送信される運転停止の運転状態データを集中管理装置３で受信し、これに対応して集中管理装置３から室内機へ電源遮断の指示データを送信するようになっているが、これに限るものでなく、室内機が運転を停止した時に自身のリレー２３の接点を開放して供給電源を遮断し、その後に運転停止の状態データ、もしくは、運転停止の運転状態の通知データを集中管理装置３へ送信し、これを受信した集中管理装置３は、電源管理テーブル内の対応する室内機の運転状態の項目を運転停止状態に更新すると共に、前記ワイヤードリモコンの電源状態の項目を遮断に更新するようにしてもよい。この場合、集中管理装置３から対応する室内機への電源遮断指示データを送信しない。これにより、集中管理装置３の送信処理を簡素化できる。
【符号の説明】
【００６２】
１  通信線
２  リモコン接続線
２ａ  通信線
２ｂ  電源線
２ｃ  アース線
３  集中管理装置
４  交流電源
１０  制御回路本体
１０ａ  ワイヤードリモコン
１１  表示部
１２  キー入力部
１３  記憶部
１４  起動スイッチ
１５  リモコン制御部
１６  リモコン通信部
１７  バックライト
１８  抵抗
２０ａ、２０ｂ、２０ｃ、２０ｄ  室内機
２１  室内機通信部
２２  通信部
２３  リレー
２３  供給用リレー
２４  電流センサ
２５  記憶部
２６  室内機制御部
２７  室温検出部
２８  電源部
２９  抵抗
３０  室外機
３１  表示部
３２  キー入力部
３３  記憶部
３５  制御部
３６  通信部
３７  バックライト
【図１】
0005760861.tif 000002
【図２】
0005760861.tif 000003
【図３】
0005760861.tif 000004
【図４】
0005760861.tif 000005
【図５】
0005760861.tif 000006
【図６】
0005760861.tif 000007
【図７】
0005760861.tif 000008
【図８】
0005760861.tif 000009